(57)【要約】【課題】  端子台を構成する複数の端子に電気が印加されているか否かの確認を、極めて簡単容易かつ瞬時に確認できる通電確認具の提供。また、嵩が小さく軽量で持ち歩きに便利な形態とし、短絡事故の発生を未然に防止できる通電確認具の提案。【解決手段】  入力ケーブル接続用の入力端子１２と、該入力端子１２と電気的に接続された出力ケーブル接続用の出力端子１３とを有するユニット１１が複数対並列配置され、これらの外側部に形成された取付部１４がアース接続金具１６で固定される構造とされている端子台１０の通電状態確認具であって、前記出力端子１３または入力端子１２に接触する導電接触子２と通電表示ランプ３と抵抗素子４とからなる検知体１の複数並列配置体と、前記各抵抗素子４と接続された導電体５と、該導電体５と接続し前記アース接続金具１６に接触するアース金具接触子６とを備えたカバー体を絶縁体で形成されている構成としたもの。【選択図】        図６
2009139094.tif 000002
【特許請求の範囲】
【請求項１】
入力ケーブル接続用の入力端子(12)と、該入力端子(12)と電気的に接続された出力ケーブル接続用の出力端子(13)とを有するユニット(11)が複数対並列配置され、これらの外側部に形成された取付部(14)がアース接続金具(16)で固定される構造とされている端子台(10)の通電状態確認具であって、
前記入力端子(12)または出力端子(13)に接触する導電接触子(2)と通電表示ランプ(3)と抵抗素子(4)とからなる検知体(1)の複数並列配置体と、前記各抵抗素子(4)と接続された導電体(5)と、該導電体(5)と接続し前記アース接続金具(16)に接触するアース金具接触子(6)とを備えたカバー体(C)であって、絶縁体で形成されている端子台の通電確認具。
【請求項２】
カバー体(C)が、内部透視可能な透明素材で形成されている請求項１記載の端子台の通電確認具。
【請求項３】
カバー体(C)には、前壁(7a)と後壁(7b)とから端子台(10)への着脱用嵌合突起(8,8)を垂下させてある請求項１または２記載の端子台の通電確認具。
【発明の詳細な説明】
【技術分野】
【０００１】
本発明は、複数本の入力側通電ケーブルと、同様に複数本の出力側通電ケーブルとを通電接続するために使用する端子台の通電状態を外部から簡単に確認することができ、事故の発生を事前に回避させることができるようにした端子台の通電確認具に関するものである。
【背景技術】
【０００２】
本発明は、入力側の複数本の通電ケーブルを個々に接続するための複数個の接続端子と、同様に出力側の複数本の通電ケーブルを個々に接続するための複数個の接続端子とを並列配置してある端子台を対象としたものである。
【０００３】
このような構造を備えた端子台は、多数提案されおり、市場においても周知され使用されている。このような先行技術としては、例えば、下記特許文献１に見られるように、入力側電線を接続するための複数の接続ねじを備えた入力端子と、この入力端子と電気的に接続される端子であって、出力側電線を接続するための複数の接続ねじを備えた出力端子とを複数並列配置して一つのブロック体として使用するようにした端子台装置が示され、また、下記特許文献２には、入力側電線の接続用ねじを備えた入力端子と、この入力端子と電気的に接続されている、出力側電線接続用ねじを備えた出力端子とを備えたユニット体を複数体並列配置して一つのブロック体として使用するようにした端子台が示されている。そして、これらの電線接続用ねじを用いて電線端に圧着接続した端子体を取り付けて入力側電線と出力側電線とを電気的に通電するようにしてある。
【特許文献１】特開２００６−３４４３９３号公報
【特許文献２】特開２００６−３１８８７５号公報
【０００４】
また、これらの特許文献１，２に記載の端子台は、それぞれのブロック体における並列方向の外側部分において、固定用ねじを利用して所要固定板にねじ固定されるようになっている。例えば配電盤や配電箱等にねじ固定する場合には、固定用ねじがアース金具として作用する。
【発明の開示】
【発明が解決しようとする課題】
【０００５】
然るところ、現在使用されているこの種の端子台にあっては、入力端子側であっても、出力端子側であっても、通電中であるのか否かという確認を、簡単容易に、かつ、瞬時に行うことができないという課題を有しており、そのため時として短絡事故を誘発する素因ともなっていた。
【０００６】
そこで、本発明は、端子台の現在状態、即ち、端子台を構成する複数の端子に電気が印加されているのか否かの確認を、極めて簡単容易に瞬時に確認することができる通電確認具を提供することを第１の目的とし、併せて、嵩が小さく軽量で、持ち歩きに便利な形態のものとし、前記短絡事故のような不測の事態の発生を未然に防止すことができる通電確認具を提案することを目的として開発したものである。
【課題を解決するための手段】
【０００７】
該目的を達成するために講じた本発明にいう端子台の通電確認具の主たる構成、即ち、請求項１に記載の構成を実施例の説明に用いた符号を付加しながら説明すると、入力ケーブル接続用の入力端子１２と、該入力端子１２と電気的に接続された出力ケーブル接続用の出力端子１３とを有するユニット１１が複数対並列配置され、これらの外側部に形成された取付部１４がアース接続金具１６で固定される構造とされている端子台１０の通電状態確認具であって、前記入力端子１２または出力端子１３に接触する導電接触子２と通電表示ランプ３と抵抗素子４とからなる検知体１の複数並列配置体と、前記各抵抗素子４と接続された導電体５と、該導電体５と接続し前記アース接続金具１６に接触するアース金具接触子６とを備えたカバー体Ｃであって、絶縁体で形成されている構成としたものである。
【０００８】
また、請求項２に記載の構成は、前記請求項１の構成中にいうところのカバー体Ｃが、内部透視可能な透明素材で形成されている構成としたものである。
【０００９】
また、請求項３に記載の構成は、前記請求項１または２の構成中にいうところのカバー体Ｃに、その前壁７ａと後壁７ｂとから端子台１０への着脱用嵌合突起８，８を垂下させてある構成としたことにある。
【発明の効果】
【００１０】
本発明にいうところの端子台の通電確認具は、出力端子または入力端子に接触する導電接触子と通電表示ランプと抵抗素子とからなる検知体の複数を並列配置したものと、これらの各抵抗素子と接続された導電体と、該導電体と接続しアース接続金具に接触するアース金具接触子とを備えたカバー体としてあるので、このカバー体を被検知端子台に対して上方から押し付けるだけの操作によって、被検知端子に電気が印加されている場合には、導電接触子・通電表示ランプ・抵抗素子・導電体・アース接続金具とに接触するアース金具接触子と電流が流れて通電表示ランプが発光することにより、被検知端子に電気が印加されていない場合には、通電表示ランプが発光しないことにより、複数端子の通電確認をほぼワンタッチで行うことができるという効果を期待できる。また、該カバー体は絶縁体で形成してあるので、感電のおそれはなく、安心して使用することができるという利点も有しているものである。
【００１１】
また、請求項２に記載のように、カバー体を内部透視可能な透明素材で形成してあるものにあっては、カバー体を透して内部の通電表示ランプの確認を行うことができるので、より一層通電状態の確認が容易化できる利点がある。
【００１２】
さらには、請求項３に記載のように、カバー体を、その前壁７ａと後壁７ｂとから端子台１０への着脱用嵌合突起８，８を垂下させてある構成とした場合には、端子台に対してカバー体を装着させた状態で、複数端子の通電状態を確認することができ、その確認事項を手放し状態で記録帳等に記録できる利点がある。
【発明を実施するための最良の形態】
【００１３】
本発明を実施するに当たっては、カバー体を絶縁素材であって内部透視可能な透明素材で形成し、かつ、端子台に対して装着しておくことができる構成のものとして実施すれば安全に端子台への装着取り外しができ、端子台に装着した状態で外部から内部の通電表示ランプの確認をすることができる点で好ましい実施形態となる。また、各検知体の間に絶縁用隔壁を形成してあるものとした場合には、端子台への装着をより安全に行うことができる点で好ましい。
【実施例】
【００１４】
以下本発明の実施例について図面と対比しながら説明する。別紙添付の図面中、図１乃至図４は、本発明にいう端子台の形態を説明するための平面図、正面図、図１におけるＡ−Ａ線端面図及び右側面図である。
【００１５】
先ず、この端子台の構造から説明する。ここに示した端子台１０は、図１において下方側に、絶縁被覆電線３１の先端に圧着させた端子金具３３を締め付けて電気的に接続するための締め付けボルトを備えた入力端子１２と、同図において上方側に、同様に、絶縁被覆電線３２の先端に圧着させた端子金具３４を締め付けて電気的に接続するための締め付けボルトを備えた出力端子１３と、これらの両端子１２，１３をボルト締め付け穴を介して電気的に接続するようにした図３に示した平板金具１８とを対としてユニット１１を形成し、該実施例図のものにあっては、これを３対並列配置し、これらの左右外側に正面視Ｌ字形に形成した取付部としてのエンド部材１４，１４を配して図４のボルト１４ｂ，１４ｂで締め付け連結してブロック体としたものである。また、該エンド部材１４，１４の水平部１４ａ，１４ａには、図１のように、上下方向に貫通するボルト連結用の取付穴１５を形成してあり、この取付穴１５を利用して図２のように被取付物、例えば配電盤Ｄに対して、アース接続金具として作用するように金属ボルト１６で固定し、アース接続するようにしてある。また、前記平板金具１８は、図３のように、上部隔壁１７ａと下部支持壁１７ｂとの間に形成してある隙間に支持されるようにしてある。入力端子１２には、例えば１００Ｖなり２００Ｖなりの定格電圧が印加される。
【００１６】
図５乃至図１１は、本発明の通電確認具の第１実施例を説明する図であって、図５は平面図、図６は同図を左右方向に反転させた内面側の平面図、図７は左側面図、図８は右側面図、図９は正面図、図１０は図５におけるＢ−Ｂ線断面図、図１１は同図におけるＣ−Ｃ線断面図である。
【００１７】
該第１実施例に示した通電確認具のカバー体Ｃは、特に成形素材を限定するものではないが、内部透視が可能な硬質の透明素材で、図５に見られるように、平面視方形状に形成してあり、前後壁７ａ，７ｂと一方の側部に側壁７ｃを備えたものとしてある。
【００１８】
而して、その内面側には、図６及び図１１に見られるように、遊端側を前記端子台１０の入力端子１２に接触させる側面視Ｕ字形に屈曲させた導電接触子２と、該接触子２の基端側に通電線の片方を接続させた通電表示ランプとしてのネオンランプ３と、このランプ３の他方の通電線に一方の導線を接続させた抵抗素子４と、をワンセットとした検知体１を複数体、該実施例では３セットを、前記端子台１０における各ユニット１１の並列間隔に対応させた間隔で並列配置させ、前記各抵抗素子４の他方の導線を、図１，図６のように、平面視Ｌ字形に形成した導板製の導電体５とそれぞれ接続させ、該導電体５の一側において前記端子台１０におけるアース接続金具１６に接触させるための側面視Ｕ字形に形成したアース金具接触子６の基端部を接続させてある構造としたものである。
【００１９】
また、該カバー体Ｃには、図７，１０，１１に示したように、前壁７ａと後壁７ｂとから端子台１０への着脱用嵌合突起８，８を垂下させてあり、また、前記各検知体１の間に位置するように絶縁用隔壁９を形成してある。
【００２０】
図１２乃至図１８は、該第１実施例に示した通電確認具を端子台に対して装着した状態を説明する図であって、図１２はその平面図、図１３は左側面図、図１４は右側面図、図１５は正面図、図１６は上下を逆に示した背面図、図１７は図１２におけるＤ−Ｄ線断面図、図１８は同図におけるＥ−Ｅ線断面図である。
【００２１】
該第１実施例に示した通電確認具は、図１２のように、側壁７ｃを右側にして端子台１０上に載置し、着脱用嵌合突起８，８によって端子台１０に挟持させて固定する。この端子台１０上への載置操作によって、図１５のように、各導電接触子２をそれぞれ対応する入力端子１２に接触させ、同時にアース金具接触子６をその下方に位置するアース接続金具１６と接触させる。このようにすることによって、図１８及び図１７に示したように、３組の導電接触子２、通電表示ランプ３、抵抗素子４を、導電体５を介してアース金具接触子６、アース接続金具１６、端子台１０の取付基盤と電気的に接続させる。
【００２２】
もし、確認時に入力端子１２に電気が印加されていれば、アース接続金具１６を通じて一連の電気回路が形成され、通電表示ランプ３が点灯する。入力端子１２に電気が印加されていなければ、電気回路が形成されることはないので、通電表示ランプ３が点灯することはない。このようにして、複数の入力端子１２のそれぞれについて、電気がＯＮ状態であるのか、ＯＦＦ状態であるのかの確認を瞬時に行うことができるのである。
【００２３】
図１９は、本発明の通電確認具の第２実施例を示したカバー体の内面側配置図である。図２０乃至２４は、該第２実施例の通電確認具を端子台に対して装着した状態を示した図である。即ち、図２０はその平面図、図２１は右側面図、図２２は正面図、図２３は図２０におけるＦ−Ｆ線断面図、図２４は同図におけるＧ−Ｇ線断面図である。
【００２４】
而して、該実施例の通電確認具と前記第１実施例の通電確認具との主たる相違点は、通電表示ランプ３をカバー体Ｃの上面に突出させることによって直接表示する構造とした点である。即ち、該第２実施例の通電確認具は、通電表示ランプとしてのネオンランプ３を立て姿勢に配置して、その先端部をカバー体Ｃの上面に突出するように配置し、カバー体Ｃの上面から直接確認することができるようにしたものである。その他の点については前記第１実施例に準じた構造としてある。該第２実施例に示した通電確認具にあっては、カバー体Ｃを不透明体で形成することができる利点がある。
【産業上の利用可能性】
【００２５】
本発明にいうところの通電確認具は、このように従来から使用されている複数端子を並列配置した端子台を対象として、複数の電極についての通電確認を一挙に瞬時に行うことができるので、しかも安全に行うことができるので、市場において歓迎され大いに普及するものと思われる。
【図面の簡単な説明】
【００２６】
【図１】端子台の平面図。
【図２】端子台の正面図。
【図３】図１におけるＡ−Ａ線端面図。
【図４】図１における右側面図。
【図５】第１実施例を示す平面図。
【図６】図５を左右方向に反転させた内面側の平面図。
【図７】第１実施例を示す左側面図。
【図８】第１実施例を示す右側面図。
【図９】第１実施例を示す正面図。
【図１０】図５におけるＢ−Ｂ線断面図。
【図１１】図５におけるＣ−Ｃ線断面図。
【図１２】第１実施例に示した通電確認具を端子台に装着した状態を示す平面図。
【図１３】同左側面図。
【図１４】同右側面図。
【図１５】同正面図。
【図１６】同上下を逆に示した背面図。
【図１７】図１２におけるＤ−Ｄ線断面図。
【図１８】図１２におけるＥ−Ｅ線断面図。
【図１９】第２実施例におけるカバー体の内面側配置図。
【図２０】第２実施例に示した通電確認具を端子台に装着した状態を示す平面図。
【図２１】同右側面図。
【図２２】同正面図。
【図２３】図２０におけるＦ−Ｆ線断面図。
【図２４】図２０におけるＧ−Ｇ線断面図。
【符号の説明】
【００２７】
１  検知体
１０  端子台
１１  ユニット
１２  入力端子
１３  出力端子
１４  取付部
１６  アース接続金具
２  導電接触子
３  通電表示ランプ
４  抵抗素子
５  導電体
６  アース金具接触子
７  端縁部
８  嵌合部
Ｃ  カバー体
【図１】
2009139094.tif 000003
【図２】
2009139094.tif 000004
【図３】
2009139094.tif 000005
【図４】
2009139094.tif 000006
【図５】
2009139094.tif 000007
【図６】
2009139094.tif 000008
【図７】
2009139094.tif 000009
【図８】
2009139094.tif 000010
【図９】
2009139094.tif 000011
【図１０】
2009139094.tif 000012
【図１１】
2009139094.tif 000013
【図１２】
2009139094.tif 000014
【図１３】
2009139094.tif 000015
【図１４】
2009139094.tif 000016
【図１５】
2009139094.tif 000017
【図１６】
2009139094.tif 000018
【図１７】
2009139094.tif 000019
【図１８】
2009139094.tif 000020
【図１９】
2009139094.tif 000021
【図２０】
2009139094.tif 000022
【図２１】
2009139094.tif 000023
【図２２】
2009139094.tif 000024
【図２３】
2009139094.tif 000025
【図２４】
2009139094.tif 000026